(57)【要約】【課題】印刷制御装置を操作する使用者が、印刷装置が対応している複数の印刷方式の中から任意の印刷方式を選択可能にすることを目的とする。【解決手段】印刷装置を制御する印刷制御装置であって、印刷装置が対応している少なくとも２つ以上の印刷方式の情報を取得する印刷方式情報取得手段と、印刷方式情報取得手段が取得した情報に応じて、印刷装置が対応している少なくとも２つ以上の印刷方式の選択に係る画面を表示する印刷方式選択画面表示手段と、画面を介した選択操作指示に基づいて、印刷装置における印刷方法を決定する印刷方式決定手段と、を有することによって前記課題を解決する。【選択図】図４
2007183885.tif 000002
【特許請求の範囲】
【請求項１】
印刷装置を制御する印刷制御装置であって、
前記印刷装置が対応している少なくとも２つ以上の印刷方式の情報を取得する印刷方式情報取得手段と、
前記印刷方式情報取得手段が取得した前記情報に応じて、前記印刷装置が対応している少なくとも２つ以上の印刷方式の選択に係る画面を表示する印刷方式選択画面表示手段と、
前記画面を介した選択操作指示に基づいて、前記印刷装置における印刷方法を決定する印刷方式決定手段と、
を有することを特徴とする印刷制御装置。
【請求項２】
前記印刷方式決定手段は、前記画面を介した選択操作指示に基づいて、前記印刷装置が対応している少なくとも２つ以上の印刷方式の中から、前記印刷装置における印刷方法を１つ決定することを特徴とする請求項１に記載の印刷制御装置。
【請求項３】
前記印刷方式決定手段は、前記画面を介した選択操作指示に基づいて、前記印刷装置が対応している少なくとも２つ以上の印刷方式の中から、前記印刷装置における印刷方法を複数決定することを特徴とする請求項１に記載の印刷制御装置。
【請求項４】
前記印刷装置が対応している少なくとも２つ以上の印刷方式毎の印刷設定に係る情報を取得する印刷設定情報取得手段と、
前記印刷設定情報取得手段が取得した前記情報に応じて、印刷設定に係る画面を表示する印刷設定画面表示手段と、
前記画面を介した選択操作指示に基づいて、印刷設定を決定する印刷設定決定手段と、
を更に有することを特徴とする請求項１乃至３の何れか１項に記載の印刷制御装置。
【請求項５】
印刷を行う印刷装置であって、
対応している少なくとも２つ以上の印刷方式の情報を印刷制御装置に提供する印刷方式情報提供手段と、
対応している少なくとも２つ以上の印刷方式の内、前記印刷制御装置において決定された印刷方式に基づいて、印刷を行う印刷手段と、
を有することを特徴とする印刷装置。
【請求項６】
前記印刷手段は、対応している少なくとも２つ以上の印刷方式の内、前記印刷制御装置において決定された１つの印刷方式に基づいて印刷を行うことを特徴とする請求項５に記載の印刷装置。
【請求項７】
前記印刷手段は、対応している少なくとも２つ以上の印刷方式の内、前記印刷制御装置において決定された複数の印刷方式の中の１又は複数の印刷方式に基づいて印刷を行うことを特徴とする請求項５に記載の印刷装置。
【請求項８】
対応している少なくとも２つ以上の印刷方式毎の印刷設定に係る情報を前記印刷制御装置に提供する印刷設定情報提供手段を更に有し、
前記印刷手段は、対応している少なくとも２つ以上の印刷方式の内、前記印刷制御装置において決定された印刷方式と、前記印刷制御装置において決定された印刷設定と、に基づいて、印刷を行うことを特徴とする請求項５乃至７の何れか１項に記載の印刷装置。
【請求項９】
印刷装置と、印刷制御装置と、を含む印刷システムであって、
前記印刷制御装置は、
前記印刷装置が対応している少なくとも２つ以上の印刷方式の情報を取得する印刷方式情報取得手段と、
前記印刷方式情報取得手段が取得した前記情報に応じて、前記印刷装置が対応している少なくとも２つ以上の印刷方式の選択に係る画面を表示する印刷方式選択画面表示手段と、
前記画面を介した選択操作指示に基づいて、前記印刷装置における印刷方法を決定する印刷方式決定手段と、
を有し、
前記印刷装置は、
対応している少なくとも２つ以上の印刷方式の情報を印刷制御装置に提供する印刷方式情報提供手段と、
対応している少なくとも２つ以上の印刷方式の内、前記印刷制御装置において決定された印刷方式に基づいて、印刷を行う印刷手段と、
を有することを特徴とする印刷システム。
【請求項１０】
印刷装置を制御する印刷制御装置における印刷制御方法であって、
前記印刷装置が対応している少なくとも２つ以上の印刷方式の情報を取得する印刷方式情報取得ステップと、
前記印刷方式情報取得ステップにおいて取得した前記情報に応じて、前記印刷装置が対応している少なくとも２つ以上の印刷方式の選択に係る画面を表示する印刷方式選択画面表示ステップと、
前記画面を介した選択操作指示に基づいて、前記印刷装置における印刷方法を決定する印刷方式決定ステップと、
を有することを特徴とする印刷制御方法。
【請求項１１】
印刷を行う印刷装置における印刷方法であって、
対応している少なくとも２つ以上の印刷方式の情報を印刷制御装置に提供する印刷方式情報提供ステップと、
対応している少なくとも２つ以上の印刷方式の内、前記印刷制御装置において決定された印刷方式に基づいて、印刷を行う印刷ステップと、
を有することを特徴とする印刷方法。
【請求項１２】
画像データ及び前記画像データに関する文字情報を入力する入力部と、
昇華型方式で印刷を行う第１印刷部と、
インクジェット方式で印刷を行う第２印刷部と、
前記画像データ及び前記文字情報を、それぞれ前記第１印刷部又は前記第２印刷部で印刷するように制御する制御部と
を有することを特徴とする印刷装置。
【請求項１３】
前記制御部は、前記画像データを前記第１印刷部で印刷させ、前記文字情報を前記第２印刷部で印刷させることを特徴とする請求項１２に記載の印刷装置。
【請求項１４】
画像データ及び前記画像データに関する文字情報を入力する入力工程と、
昇華型方式で印刷を行う第１印刷工程と、
インクジェット方式で印刷を行う第２印刷工程と、
を有し、
前記画像データ及び前記文字情報を、それぞれ前記第１印刷工程又は前記第２印刷工程で印刷するように制御する制御工程を更に有することを特徴とする印刷方法。
【請求項１５】
前記制御工程は、前記画像データを前記第１印刷工程で印刷させ、前記文字情報を前記第２印刷工程で印刷させることを特徴とする請求項１４に記載の印刷方法。
【発明の詳細な説明】
【技術分野】
【０００１】
本発明は、印刷制御装置、印刷装置、印刷システム、及び印刷方法に関する。
【背景技術】
【０００２】
デジタルカメラ等の記録再生装置と、プリンタとを直接的に接続したり、又は一体的に構成したりして、記録された画像を印刷する機器がある。
【０００３】
また、特許文献１では、複数のプリンタを内蔵した複合プリンタがモノクロページと、カラーページとを自動的に判別して、それぞれのページの印刷に最適なプリンタで印刷を行う技術が記述されている。
【０００４】
【特許文献１】特開２００３−１１８１７４号公報
【発明の開示】
【発明が解決しようとする課題】
【０００５】
しかしながら、複数のプリンタを内蔵した複合プリンタと、印刷制御可能な例えばカメラとを接続して印刷する場合、カメラを操作する使用者が印刷を行うプリンタやその方式を任意に選択することができない問題があった。
【０００６】
本発明は前記の問題点に鑑みなされたもので、印刷制御装置を操作する使用者が、印刷装置が対応している複数の印刷方式の中から任意の印刷方式を選択可能にすることを目的とする。
【課題を解決するための手段】
【０００７】
そこで、前記問題を解決するため、本発明は、印刷装置を制御する印刷制御装置であって、前記印刷装置が対応している少なくとも２つ以上の印刷方式の情報を取得する印刷方式情報取得手段と、前記印刷方式情報取得手段が取得した前記情報に応じて、前記印刷装置が対応している少なくとも２つ以上の印刷方式の選択に係る画面を表示する印刷方式選択画面表示手段と、前記画面を介した選択操作指示に基づいて、前記印刷装置における印刷方法を決定する印刷方式決定手段と、を有することを特徴とする。
【０００８】
また、本発明は、印刷を行う印刷装置であって、対応している少なくとも２つ以上の印刷方式の情報を印刷制御装置に提供する印刷方式情報提供手段と、対応している少なくとも２つ以上の印刷方式の内、前記印刷制御装置において決定された印刷方式に基づいて、印刷を行う印刷手段と、を有することを特徴とする。
【０００９】
また、前記問題を解決するため、本発明は、印刷システム、印刷制御方法、及び印刷方法としてもよい。
【発明の効果】
【００１０】
本発明によれば、印刷制御装置を操作する使用者が、印刷装置が対応している複数の印刷方式の中から任意の印刷方式を選択可能にすることができる。
【発明を実施するための最良の形態】
【００１１】
以下、本発明の実施例について図面に基づいて説明する。
【実施例１】
【００１２】
図１は、カメラ一体型ＶＴＲと、複合プリンタとで構成されるプリントシステムのシステム構成図である。Ｕ１０１は、通信部を備えた民生用デジタルＶＴＲ規格に準じた液晶モニタ付きのカメラ一体型ＶＴＲを表す。Ｕ１０２は、記録画像を視認可能にプリントする複数の印刷部を備えた複合プリンタを表す。カメラ一体型ＶＴＲ  Ｕ１０１及び複合プリンタＵ１０２は、Ｕ１０３の通信ケーブルで接続される。この構成により、カメラ一体型ＶＴＲ  Ｕ１０１と、複合プリンタＵ１０２との間で命令やデータの受け渡しを行い、カメラ一体型ＶＴＲ  Ｕ１０１に記録された記録画像を複合プリンタＵ１０２で印刷を行う。
【００１３】
なお、カメラ一体型ＶＴＲ  Ｕ１０１と、複合プリンタＵ１０２との接続は、ケーブルに限らず無線通信方式によって通信を行ってもよい。
【００１４】
図２は、カメラ一体型ＶＴＲの機能ブロック図である。図２において、Ｂ１００は、各ブロックの制御信号線や、各ブロックへのデータの送受に使用するアドレスバスやデータバスを表す。Ｂ１０１は、マイクロコンピュータを表し、カメラ一体型ＶＴＲ全体を制御する。Ｂ１０２は、画像信号処理部を表し、Ｂ１０５の光電変換素子で被写体を光電変換した画像信号や、Ｂ１０６の外部入出力コネクタから入力された画像信号や、Ｂ１０７のマイクから入力されＢ１０８の音声信号処理部で処理された音声信号を処理する。また、画像信号処理部Ｂ１０２は、Ｂ１１０の表示制御部によってＢ１０９の液晶パネルに表示するための画像を処理する。
【００１５】
Ｂ１１５は、レンズ部を表し、Ｂ１１６のレンズ制御部によって制御される。また、Ｂ１２４は、Ｂ１０５、Ｂ１１５、Ｂ１１６を包含する撮像部である。Ｂ１０３は、メモリを表し、一時的なデータの記憶を行う。Ｂ１１４は、電源制御部を表し、Ｂ１１２のＡＣアダプタやＢ１１３のバッテリ等の電源制御を行う。Ｂ１１１は、入力スイッチ類を表し、電源ボタンや撮影開始ボタン、再生画像の選択ボタン等から構成される。
【００１６】
Ｂ１２３は、通信制御部を表し、Ｂ１２２の通信コネクタを介して接続された機器（プリンタやＰＣ）との通信を行う。Ｂ１１８は、ＶＴＲ制御部を表し、Ｂ１１９のＶＴＲ部の制御と、動画像データ及び音声の記録と、再生とを制御する。Ｂ１１７は、メモリカードコントローラを表し、Ｂ１２０のメモリカードの書き込みと、読み出しとを制御する。
【００１７】
図３は、複合プリンタの機能ブロック図である。図３に示される複合プリンタは、プリンタ本体内部に、レザープリンタ機能と、インクジェット（以下ＩＪ）プリンタ機能と、昇華型プリンタ機能とを有する。また、複合プリンタは、前記三方式のプリンタ機能を有することを印刷制御装置（例えば、カメラ一体型ＶＴＲ等）に通信によって通知する機能を有する。また、複合プリンタは、印刷制御装置から指定された印刷方式や印刷設定に従って印刷可能な機能も有する。
【００１８】
図３において、Ｕ３１０は、複合プリンタ内部の制御ユニットを表す。Ｕ３２０は、制御ユニットによって制御される複合プリンタ内部のレーザープリンタユニットを表す。Ｕ３３０は、制御ユニットによって制御される複合プリンタ内部のＩＪプリンタユニットを表す。Ｕ３４０は、制御ユニットによって制御される複合プリンタ内部の昇華型プリンタユニットを表す。
【００１９】
以下、Ｕ３１０の制御ユニットを構成する機能ブロックについて説明する。Ｂ３１２は、電源制御部を表し、Ｂ３１１のＡＣコネクタ部から供給されるＡＣ電源と、Ｂ３１３のバッテリ部から供給されるＤＣ電源との制御を行う。Ｂ３１５は、マイクロコンピュータ部を表し、マイクロコンピュータによって複合プリンタ全体の制御を行う。Ｂ３１４は、スイッチ部を表し、複合プリンタ本体の操作ボタンの情報をマイクロコンピュータ部に入力する。Ｂ３１６は、通信部を表し、ケーブル接続や無線通信接続による他の通信可能機器との命令やデータの受け渡しを行い、他の通信可能機器に記録された記録画像を印刷する。
【００２０】
以下、Ｕ３２０のレーザープリンタユニットを構成する機能ブロックについて説明する。Ｂ３２１は、レーザープリントエンジンを表し、Ｂ３２２のトナーと、Ｂ３２３のペーパー制御部１とを制御すると共に、レーザープリンタユニット全体を制御する。また、ペーパー制御部１は、Ｂ３２４のペーパートレイ１を制御し、紙の給紙及び排紙を制御する。
【００２１】
以下、Ｕ３３０のＩＪプリンタユニットを構成する機能ブロックについて説明する。Ｂ３３１は、ＩＪプリントエンジンを表し、Ｂ３３２のＩＪインクと、Ｂ３２３のペーパー制御部１とを制御すると共に、ＩＪプリンタユニット全体を制御する。ペーパー制御部１と、ペーパートレイ１とは、レーザープリンタユニットと共通の機能ブロックで、レーザープリンタユニットと同様に機能する。
【００２２】
以下、Ｕ３４０の昇華型プリンタユニットを構成する機能ブロックについて説明する。Ｂ３４２は、昇華型プリントエンジンを表し、Ｂ３４３の昇華型インクと、Ｂ３４１のペーパー制御部２とを制御すると共に、昇華型プリントユニット全体を制御する。また、ペーパー制御部２は、Ｂ３４４のペーパートレイ２を制御し、紙の給紙及び排紙を制御する。
【００２３】
図４は、印刷制御装置の印刷動作に関わる主要ブロック図である。Ｂ４０４は、プリンタ情報記憶部を表し、複合プリンタとの通信によって得られる複合プリンタの複数の印刷方式を記憶する。印刷制御装置を操作する使用者が、Ｂ４０５の操作スイッチ部と、Ｂ４０２の表示部とによって印刷方式を選択／決定すると、選択された印刷方式等が、複合プリンタに通知され、複合プリンタにおいて印刷が実行される。Ｂ４０６の印刷制御部は、決定された印刷方式と、Ｂ４０１の印刷画像記録部に格納されている画像と、をＢ４０３の通信部を通じてプリンタに要求する。
【００２４】
図５は、印刷制御装置の制御を行うマイクロコンピュータ（印刷制御部）における制御の一例を示すフローチャート（その１）である。なお、以下の説明において、フローチャートの各ステップを"Ｓ"と略す。図５のフローチャートでは、印刷制御装置の印刷動作について説明する。
【００２５】
Ｓ１０１は、通信開始を表し、通信ケーブルの接続や、印刷制御装置や複合プリンタの起動、通信モードへの遷移等によって通信が開始される。
【００２６】
Ｓ１０２では、印刷制御装置は、通信によって複合プリンタから指定可能な印刷方式（レーザープリント、ＩＪプリント、昇華型プリント）や、同じく通信によって相手から指定可能な各印刷方式での印刷設定等のプリンタの情報を複合プリンタから取得する。ここで、印刷設定とは、印刷画像の情報（ファイル形式、ファイルサイズ等）、印刷枚数、印刷用紙のサイズ（印刷範囲）、印刷位置（レイアウト）、印刷品質（画質）、印刷用紙の種類（紙質）、インクの種類、印刷効果（特殊効果）、画像の加工情報等である。
【００２７】
或いは、印刷制御装置は、予め規定された複合プリンタ固有のコードを取得することで、接続された複合プリンタを判別し、自身の記憶部（メモリ）等より、プリンタの情報を取得する。
【００２８】
Ｓ１０３では、印刷制御装置は、接続された複合プリンタが持つ印刷方式を表示する（例えば、図６等参照。）。Ｓ１０４では、印刷制御装置は、印刷制御装置を操作する使用者が、図６に示されるような画面において選択した選択操作等に応じて、印刷方式を選択、決定する。
【００２９】
Ｓ１０５では、印刷制御装置は、選択した印刷方式で指定可能な印刷設定画面を表示する（例えば、図７等参照。）。Ｓ１０６では、印刷制御装置は、印刷制御装置を操作する使用者が、図７に示されるような画面において選択した選択操作等に応じて、印刷設定を選択、決定する。
【００３０】
Ｓ１０７では、印刷制御装置は、決定した印刷方式と、印刷設定と、印刷対象の画像（又は文書）と、を複合プリンタに送信し、印刷を要求する。
【００３１】
図８は、印刷制御装置の操作スイッチ部の一例を示す図である。図８において、Ｂ５０１は、ＳＥＴボタンを表し、図５のＳ１０４やＳ１０６等において、使用者に押されることによって決定を意味する。Ｂ５０２〜Ｂ５０５は、方向ボタンを表し、図５のＳ１０４や、Ｓ１０５、Ｓ１０６において使用者に押されることによって、表示画面のＵＩカーソルを押されたボタンの方向に移動する。また、図５のＳ１０６においては、図７の各設定項目上にカーソルを合わせた状態で使用者がＢ５０４又はＢ５０５を押すことによって、表示されている設定値以外に選択肢がある場合には、他の設定値が印刷制御装置によって表示される。
【００３２】
印刷制御装置の使用者は、例えば複数の画像を１枚の用紙に印刷するインデックスプリントを行いたい場合は、ＩＪプリント方式を選択する。また、印刷制御装置の使用者は、例えば１枚の画像を１枚の用紙に印刷する通常の印刷を行いたい場合は、昇華型プリント方式を選択する。
【００３３】
このように、実施例１によれば、印刷制御装置の使用者は、プリント形態に応じて、プリント方式を適応的に選ぶことができる。
【実施例２】
【００３４】
実施例１では、印刷制御装置の一例として、カメラ一体型ＶＴＲを用いて説明を行った。実施例２では、印刷制御装置の一例として、携帯電話等の通信機器を用いて説明を行う。なお、実施例２では、主に実施例１と異なる点を説明する。
【００３５】
図９は、携帯電話等の通信機器と、複合プリンタとで構成されるプリントシステムのシステム構成図である。Ｕ２０１は、携帯電話等の通信機器を表す。Ｕ２０２は、記録画像を視認可能にプリントする複数の印刷部を備えた複合プリンタを表す。携帯電話等の通信機器Ｕ２０１及び複合プリンタＵ２０２は、Ｕ２０３の通信ケーブルで接続される。この構成により、携帯電話等の通信機器Ｕ２０１と、複合プリンタＵ２０２との間で命令やデータの受け渡しを行い、携帯電話等の通信機器Ｕ２０１に記録された記録画像を複合プリンタＵ２０２で印刷を行う。
【００３６】
なお、携帯電話等の通信機器Ｕ２０１と、複合プリンタＵ２０２との接続は、ケーブルに限らず無線通信方式によって通信を行ってもよい。
【００３７】
図１０は、携帯電話等の通信機器の機能ブロック図である。図１０において、Ｂ２０１は、マイクロコンピュータを表し、携帯電話等の通信機器全体を制御する。Ｂ２０２は、数字や文字、記号を入力するためのテンキーを表す。Ｂ２０３は、電源投入のための電源スイッチを表す。Ｂ２０４は、表示モニタとしての液晶画面を表す。Ｂ２０５は、バッテリを表し、携帯電話等の通信機器本体の駆動電源となる。Ｂ２０６は、無線通信に必要な回路で構成される無線通信モジュールを表し、Ｂ２０８のアンテナを用いて通信を行う。Ｂ２０７は、メモリを表し、データ等の一時記憶に使用する。Ｂ２０８は、複合プリンタとの通信コネクタを表す。
【実施例３】
【００３８】
上述した実施例では、印刷制御装置において印刷方式を１つ選択した場合の例を用いて説明を行った。実施例３では、印刷制御装置において印刷方式を複数選択した場合を例に説明を行う。なお、実施例３では、主に上述した実施例と異なる点を説明する。
【００３９】
図１１は、印刷制御装置の制御を行うマイクロコンピュータ（印刷制御部）における制御の一例を示すフローチャート（その２）である。なお、以下の説明において、フローチャートの各ステップを"Ｓ"と略す。図１１のフローチャートでは、印刷制御装置の印刷動作について説明する。
【００４０】
Ｓ２０１は、通信開始を表し、通信ケーブルの接続や、印刷制御装置やプリンタの起動、通信モードへの遷移等によって通信が開始される。
【００４１】
Ｓ２０２では、印刷制御装置は、通信によってプリンタから指定可能な印刷方式（レーザープリント、ＩＪプリント、昇華型プリント）や、同じく通信によって相手から指定可能な各印刷方式での印刷設定等のプリンタの情報を複合プリンタから取得する。
【００４２】
或いは、印刷制御装置は、予め規定された複合プリンタ固有のコードを取得することで、接続された複合プリンタを判別し、自身の記憶部（メモリ）等より、プリンタの情報を取得する。
【００４３】
Ｓ２０３では、印刷制御装置は、接続された複合プリンタが持つ印刷方式を表示する（例えば、図１２等参照。）。図１２に示されるように、実施例３の場合、印刷制御装置は、Ｓ１０２において取得したプリンタの情報に基づいて、複合プリンタが対応している印刷方式と、複合プリンタが対応している印刷方式の組み合わせと、を表示する。なお、説明の簡略化のため、実施例３では、印刷制御装置は、印刷方式の組み合わせとして、２つの印刷方式の組み合わせのみを表示するものとして説明を行う。以下の実施例においても同様である。なお、このことは本発明の実施を制限するものではない。
【００４４】
Ｓ２０４では、印刷制御装置は、印刷制御装置を操作する使用者が、図１２に示されるような画面において選択した選択操作等に応じて、印刷方式を選択、決定する。Ｓ２０５では、印刷制御装置は、Ｓ２０４において複数印刷方式を選択、決定したか否かを判定する。印刷制御装置は、複数印刷方式を選択したと判定すると、Ｓ２０６に進み、一つの印刷方式を選択したと判定すると、Ｓ２０８に進む。
【００４５】
Ｓ２０６では、印刷制御装置は、例えば、印刷対象のデータ（又は情報）毎の印刷方式選択画面を表示する（例えば、図１３等参照。）。図１３では、印刷制御装置を操作する使用者が、画像部分を昇華型プリント方式でプリントし、日付やファイル名等の画像の端や余白部分にプリントする属性情報をＩＪプリント方式でプリントするよう選択した例が示されている。
このようにすることで、画像部分は黒の階調性を優先させて、属性情報の文字部分は精細さを求めるなどが可能になる。
もちろん、印刷方式の組合せはこれに限らないが、ユーザが求める画質等に応じて、適応的に選択できるようにすることで、ユーザの利便性を高めることができる。
【００４６】
Ｓ２０７では、印刷制御装置は、印刷制御装置を操作する使用者が、図１３に示されるような画面において選択した選択操作等に応じて、印刷対象のデータ（又は情報）毎の印刷方式を選択、決定する。
【００４７】
Ｓ２０８では、印刷制御装置は、選択した印刷方式で指定可能な印刷設定画面を表示する。Ｓ２０９では、印刷制御装置は、印刷制御装置を操作する使用者が、印刷設定画面において選択した選択操作等に応じて、印刷設定を選択、決定する。
【００４８】
Ｓ２１０では、印刷制御装置は、決定した印刷方式と、印刷設定と、印刷対象の画像（又は文書）と、を複合プリンタに送信し、印刷を要求する。
【００４９】
実施例３によれば、印刷制御装置の使用者は、プリント形態に応じて、複数のプリント方式を適応的に選んで、印刷等を行うことができる。
【実施例４】
【００５０】
実施例３では、図１１のＳ２０５〜Ｓ２０７及び、図１３に示したように、印刷対象のデータ（又は情報）毎の印刷方式を、印刷制御装置を操作する使用者に選択させる例を用いて説明を行った。実施例４では、印刷制御装置が印刷対象のデータ（又は情報）毎の印刷方式を決定する場合を例に説明を行う。なお、実施例４では、主に上述した実施例と異なる点を説明する。
【００５１】
図１４は、印刷制御装置の制御を行うマイクロコンピュータ（印刷制御部）における制御の一例を示すフローチャート（その３）である。なお、以下の説明において、フローチャートの各ステップを"Ｓ"と略す。図１４のフローチャートでは、印刷制御装置の印刷動作について説明する。
【００５２】
図１４のＳ３０１〜Ｓ３０４は、図１１のＳ２０１〜Ｓ２０４と同様である。Ｓ３０５では、印刷制御装置は、Ｓ３０４において複数印刷方式を選択、決定したか否かを判定する。印刷制御装置は、複数印刷方式を選択したと判定すると、Ｓ３０６に進み、一つの印刷方式を選択したと判定すると、Ｓ３０７に進む。
【００５３】
Ｓ３０６では、印刷制御装置は、Ｓ３０４において選択、決定した印刷方式の組み合わせに基づいて、メモリ等に保持している対応付けテーブル（例えば、図１５参照）を参照し、対応する印刷方式毎の対象データ（又は情報）を決定する。なお、図１５に示されるように、対応付けテーブルは、印刷方式の組み合わせと、組み合わせに係る印刷方式の印刷対象のデータ（又は情報）とを対応付けるテーブルである。
【００５４】
Ｓ３０７では、印刷制御装置は、選択した印刷方式で指定可能な印刷設定画面を表示する。Ｓ３０８では、印刷制御装置は、印刷制御装置を操作する使用者が、印刷設定画面において選択した選択操作等に応じて、印刷設定を選択、決定する。
【００５５】
Ｓ３０９では、印刷制御装置は、決定した印刷方式と、印刷設定と、印刷対象の画像（又は文書）と、を複合プリンタに送信し、印刷を要求する。
【実施例５】
【００５６】
実施例４では、印刷制御装置が、図１５に示したような対応付けテーブルを有し、印刷方式の組み合わせに基づいて、対応する印刷方式毎の対象データ（又は情報）を決定した。実施例５では、複合プリンタが、図１５に示したような対応付けテーブルを有し、印刷方式の組み合わせに基づいて、対応する印刷方式毎の対象データ（又は情報）を決定する例を説明する。
【００５７】
なお、実施例５の場合、印刷制御装置における処理を示すフローチャートは、実施例１の図５と同様である。但し、実施例５の場合、印刷制御装置は、Ｓ１０５において、複数の印刷方式で共通する印刷設定の画面を表示する。ここで、複数の印刷方式で共通する印刷設定とは、例えば、印刷枚数や、印刷用紙等である。
【００５８】
図１６は、複合プリンタの制御を行うマイクロコンピュータ（プロセッサ）における制御の一例を示すフローチャートである。なお、以下の説明において、フローチャートの各ステップを"Ｓ"と略す。図１６のフローチャートでは、複合プリンタの印刷動作について説明する。
【００５９】
Ｓ４０１は、通信開始を表し、通信ケーブルの接続や、印刷制御装置や複合プリンタの起動、通信モードへの遷移等によって通信が開始される。
【００６０】
Ｓ４０２では、複合プリンタは、通信によって、印刷制御装置が指定可能な印刷方式（レーザープリント、ＩＪプリント、昇華型プリント）や、印刷制御装置が指定可能な各印刷方式での印刷設定等のプリンタの情報を印刷制御装置に送信する。
【００６１】
Ｓ４０３では、複合プリンタは、印刷制御装置より、印刷制御装置において決定された印刷方式や、印刷設定、印刷対象の画像（又は文書）を含む、印刷要求を受信したか否かを判定する。複合プリンタは、印刷制御装置より、印刷要求を受信したと判定すると、Ｓ４０４に進み、印刷要求を受信していないと判定すると、Ｓ４０３の処理を繰り返す。
【００６２】
Ｓ４０４では、複合プリンタは、印刷制御装置より受信した印刷要求に含まれる印刷方式等に基づいて、複数の印刷方式を選択されているか否かを判定する。複合プリンタは、複数の印刷方式が選択されていると判定すると、Ｓ４０５に進み、一つの印刷方式が選択されている判定すると、Ｓ４０６に進む。
【００６３】
Ｓ４０５では、複合プリンタは、印刷要求に含まれる、印刷制御装置において決定された印刷方式の組み合わせに基づいて、メモリ等に保持している対応付けテーブル（例えば、図１５参照）を参照し、対応する印刷方式毎の対象データ（又は情報）を決定する。
【００６４】
Ｓ４０６では、複合プリンタは、印刷方式と、印刷設定と、印刷対象の画像（又は文書）と等に基づいて、印刷を開始する。
【００６５】
なお、図１６のＳ４０４及びＳ４０５の処理を省略したフローチャートが、上述した各実施例における複合プリンタのフローチャートである。
【００６６】
以上、上述した各実施例によれば、印刷制御装置を操作する使用者が、印刷装置が対応している複数の印刷方式の中から任意の印刷方式を選択可能にすることができる。
【００６７】
以上、本発明の好ましい実施例について詳述したが、本発明は係る特定の実施例に限定されるものではなく、特許請求の範囲に記載された本発明の要旨の範囲内において、種々の変形・変更が可能である。
【００６８】
例えば、上述した実施例では、印刷制御装置は、印刷方式や印刷設定等の情報を同一のステップにおいて、複合プリンタより取得するよう説明を行ったが、印刷方式と、印刷設定とを必要に応じてその都度複合プリンタより取得するようにしてもよい。
【図面の簡単な説明】
【００６９】
【図１】カメラ一体型ＶＴＲと、複合プリンタとで構成されるプリントシステムのシステム構成図である。
【図２】カメラ一体型ＶＴＲの機能ブロック図である。
【図３】複合プリンタの機能ブロック図である。
【図４】印刷制御装置の印刷動作に関わる主要ブロック図である。
【図５】印刷制御装置の制御を行うマイクロコンピュータ（印刷制御部）における制御の一例を示すフローチャート（その１）である。
【図６】印刷方式選択画面の一例を示す図（その１）である。
【図７】印刷設定画面の一例を示す図である。
【図８】印刷制御装置の操作スイッチ部の一例を示す図である。
【図９】携帯電話等の通信機器と、複合プリンタとで構成されるプリントシステムのシステム構成図である。
【図１０】携帯電話等の通信機器の機能ブロック図である。
【図１１】印刷制御装置の制御を行うマイクロコンピュータ（印刷制御部）における制御の一例を示すフローチャート（その２）である。
【図１２】印刷方式選択画面の一例を示す図（その２）である。
【図１３】印刷対象のデータ（又は情報）毎の印刷方式選択画面の一例を示す図である。
【図１４】印刷制御装置の制御を行うマイクロコンピュータ（印刷制御部）における制御の一例を示すフローチャート（その３）である。
【図１５】対応付けテーブルの一例を示す図である。
【図１６】複合プリンタの制御を行うマイクロコンピュータ（プロセッサ）における制御の一例を示すフローチャートである。
【符号の説明】
【００７０】
Ｂ４０１  印刷画像記録部
Ｂ４０２  表示部
Ｂ４０３  通信部
Ｂ４０４  プリンタ情報記憶部
Ｂ４０５  操作スイッチ部
Ｂ４０６  印刷制御部
【図１】
2007183885.tif 000003
【図２】
2007183885.tif 000004
【図３】
2007183885.tif 000005
【図４】
2007183885.tif 000006
【図５】
2007183885.tif 000007
【図６】
2007183885.tif 000008
【図７】
2007183885.tif 000009
【図８】
2007183885.tif 000010
【図９】
2007183885.tif 000011
【図１０】
2007183885.tif 000012
【図１１】
2007183885.tif 000013
【図１２】
2007183885.tif 000014
【図１３】
2007183885.tif 000015
【図１４】
2007183885.tif 000016
【図１５】
2007183885.tif 000017
【図１６】
2007183885.tif 000018